(57)【要約】【課題】  撮影画像の品質の向上を図りつつ消費電力の低減を図る。【解決手段】  レンズ鏡筒１０の内部に配置されたズーム用又はフォーカス用の可動レンズ１７（１９）と、可動レンズを保持すると共に該可動レンズの光軸方向に移動自在に支持されたレンズ保持枠２０と、レンズ保持枠の移動時に該レンズ保持枠を可動レンズの光軸方向へ案内するガイド軸２６、２６と、レンズ保持枠を可動レンズの光軸方向へ移動させる駆動手段２９、３０と、レンズ保持枠をガイド軸に押し付ける方向への付勢力を付与する付勢手段２５とを設け、レンズ保持枠の光軸方向における移動に伴って付勢手段によるレンズ保持枠に対する付勢力が変化するようにした。【選択図】図２
2006145742.tif 000002
【特許請求の範囲】
【請求項１】
レンズ鏡筒の内部に配置されたズーム用又はフォーカス用の可動レンズと、
レンズ鏡筒の内部において上記可動レンズを保持すると共に該可動レンズの光軸方向に移動自在に支持されたレンズ保持枠と、
レンズ保持枠の移動時に該レンズ保持枠を可動レンズの光軸方向へ案内するガイド軸と、
レンズ保持枠を可動レンズの光軸方向へ移動させる駆動手段と、
レンズ保持枠をガイド軸に押し付ける方向への付勢力を付与する付勢手段とを備え、
レンズ保持枠の上記光軸方向における移動に伴って付勢手段によるレンズ保持枠に対する付勢力が変化するようにした
ことを特徴とするレンズ移動機構。
【請求項２】
上記レンズ鏡筒に光軸方向において外形状が変化する変位部を形成し、
上記レンズ保持枠に可動レンズを保持する保持部と該保持部の外周部に設けられ保持部に対して動作される可動部とを設け、
該可動部を上記付勢手段によって変位部の内面に押し付け、
変位部の内面に押し付けられた可動部に生じる反力によりレンズ保持枠をガイド軸に押し付け、
可動部が上記変位部の内面の形状に倣うことにより付勢手段によるレンズ保持枠に対する付勢力が変化するようにした
ことを特徴とする請求項１に記載のレンズ移動機構。
【請求項３】
上記レンズ鏡筒に光軸方向において外形状が変化する変位部を形成し、
上記レンズ保持枠に可動レンズを保持する保持部と該保持部の外周部に設けられ保持部に対して動作される可動部とを設け、
上記レンズ保持枠の可動部及び上記弾性手段として、弾性変形して上記変位部の内面に押し付けられる弾性部材を用い、
レンズ保持枠の上記光軸方向における移動時に、可動部が上記変位部の内面に摺接し該内面の形状に弾性変形して倣うことによりレンズ保持枠に対する付勢力が変化するようにした
ことを特徴とする請求項１に記載のレンズ移動機構。
【請求項４】
上記付勢手段を、レンズ鏡筒の内面に取り付けた第１のマグネットと、レンズ保持枠に取り付け第１のマグネットとの間に吸引力又は反発力を発生する第２のマグネットとにより構成し、
上記光軸方向において第１のマグネットと第２のマグネットとの間の間隔を変化させてレンズ保持枠に対する付勢力を変化させるようにした
ことを特徴とする請求項１に記載のレンズ移動機構。
【請求項５】
上記付勢手段を、レンズ鏡筒の内面に取り付けた第１のマグネットと、レンズ保持枠に取り付け第１のマグネットとの間に吸引力又は反発力を発生する第２のマグネットとにより構成し、
上記光軸方向において第１のマグネットの磁力を変化させ第２のマグネットとの間に発生する吸引力又は反発力を変化させてレンズ保持枠に対する付勢力を変化させるようにした
ことを特徴とする請求項１に記載のレンズ移動機構。
【請求項６】
上記可動レンズがズーム用である場合において、上記付勢手段によるレンズ保持枠に対する付勢力が被写体から遠ざかるに従って大きくなるようにした
ことを特徴とする請求項１に記載のレンズ移動機構。
【請求項７】
上記可動レンズがフォーカス用である場合において、上記付勢手段によるレンズ保持枠に対する付勢力が被写体に近付くに従って大きくなるようにした
ことを特徴とする請求項１に記載のレンズ移動機構。
【請求項８】
上記レンズ保持枠のガイド軸に対する位置に応じて駆動手段に対する駆動電圧を変化させるようにした
ことを特徴とする請求項６に記載のレンズ移動機構。
【請求項９】
上記レンズ保持枠のガイド軸に対する位置に応じて駆動手段に対する駆動電圧を変化させるようにした
ことを特徴とする請求項７に記載のレンズ移動機構。
【請求項１０】
上記レンズ保持枠のガイド軸に対する押付力の大きさに応じて上記駆動電圧を大きくするようにした
ことを特徴とする請求項８に記載のレンズ移動機構。
【請求項１１】
上記レンズ保持枠のガイド軸に対する押付力の大きさに応じて上記駆動電圧を大きくするようにした
ことを特徴とする請求項９に記載のレンズ移動機構。
【請求項１２】
内部にズーム用又はフォーカス用の可動レンズが配置されたレンズ鏡筒と、
該レンズ鏡筒の内部において上記可動レンズを保持すると共に該可動レンズの光軸方向に移動自在に支持されたレンズ保持枠と、
レンズ保持枠の移動時に該レンズ保持枠を可動レンズの光軸方向へ案内するガイド軸と、
レンズ保持枠を可動レンズの光軸方向へ移動させる駆動手段と、
レンズ保持枠をガイド軸に押し付ける方向への付勢力を付与する付勢手段とを備え、
レンズ保持枠の上記光軸方向における移動に伴って付勢手段によるレンズ保持枠に対する付勢力が変化するようにした
ことを特徴とする撮像装置。
【請求項１３】
レンズ鏡筒の内部に配置されズーム用又はフォーカス用の可動レンズを保持すると共に可動レンズの光軸方向に移動自在に支持され駆動手段の駆動力によりガイド軸に案内されて光軸方向へ移動するレンズ保持枠であって、
付勢手段によってガイド軸に押し付ける方向への付勢力が付与され、
上記光軸方向への移動に伴って付勢手段による付勢力が変化されてガイド軸に対する押付力が変化するようにした
ことを特徴とするレンズ保持枠。
【発明の詳細な説明】
【技術分野】
【０００１】
本発明はレンズ移動機構、撮像装置及びレンズ保持枠についての技術分野に関する。詳しくは、可動レンズを保持するレンズ保持枠の移動に伴ってガイド軸に対する押付力を変化させて、撮影画像の品質の向上を図りつつ消費電力の低減を図る技術分野に関する。
【背景技術】
【０００２】
ビデオカメラやスチルカメラ等の撮像装置には、レンズ鏡筒内にズーム用又はフォーカス用の可動レンズを有し、該可動レンズが光軸方向へ移動可能とされたレンズ保持枠に保持されているものがある。
【０００３】
このような撮像装置にあっては、レンズ保持枠と該レンズ保持枠を光軸方向へ案内するガイド軸との間に、レンズ保持枠をガイド軸に対して円滑に移動させるための数ミクロン程度のクリアランスが形成されているが、このクリアランスはレンズ保持枠を光軸方向に直交する面内でガイド軸に対して移動させる原因となる。例えば、レンズ保持枠の光軸方向における移動時に、レンズ保持枠を移動させるためのステッピングモーターからの振動や回転されるリードスクリュー等からの振動がレンズ保持枠に伝達されると、上記したクリアランスの範囲内でレンズ保持枠が光軸方向に直交する面内でガイド軸に対して移動しながら光軸方向へ移動されてしまう。
【０００４】
レンズ保持枠がガイド軸に対して光軸方向に直交する面内で移動してしまうと、結像点の位置ずれが生じ、結像面上の像が微少に揺れる所謂像揺れ現象が発生し、撮影画像の品質が低下してしまう。
【０００５】
そこで、従来の撮像装置には、このクリアランスによる上記した不具合の発生を防止するために、付勢手段を用いてレンズ保持枠を付勢してガイド軸に押し付けることにより、クリアランスがない状態でレンズ保持枠をガイド軸に対して摺動させるようにしたものがある。
【０００６】
このような撮像装置としては、付勢手段としてレンズ鏡筒の内面に取り付けられたマグネットとレンズ保持枠に取り付けられたマグネットとを用い、双方のマグネット間に生じる吸引力又は反発力によってレンズ保持枠をガイド軸に押し付けるようにしたものがある（例えば、特許文献１参照）。
【０００７】
また、付勢手段としてバネ部材を用い、レンズ鏡筒の内面にレンズ保持枠を摺接させることにより、その反力によってレンズ保持枠をガイド軸に押し付けるようにしたものもある。
【０００８】
【特許文献１】特開平７−１７４９５２号公報
【発明の開示】
【発明が解決しようとする課題】
【０００９】
ところで、上記のようなレンズ保持枠がガイド軸に押し付られるようにされた撮像装置にあっては、レンズ保持枠が光軸方向へ移動されるときには、常に、レンズ保持枠がガイド軸に押し付けられるため、摺動抵抗に打ち勝つだけの印加電圧をステッピングモーターに供給しなけらばならず、その分、ステッピングモーターに対する印加電圧を高める必要がある。
【００１０】
このようにステッピングモーターに対する印加電圧を高めたときには、その分、消費電力が大きくなるが、上記した従来の撮像装置にあっては、常に、一定の付勢力でレンズ保持枠がガイド軸に押し付けられるようにされているため、レンズ保持枠の移動ストロークの全域においてステッピングモーターに対する印加電圧を高めなければならず、消費電力が特に大きくなってしまうという問題がある。
【００１１】
そこで、本発明は、上記した問題点を克服し、撮影画像の品質の向上を図りつつ消費電力の低減を図ることを課題とする。
【課題を解決するための手段】
【００１２】
本発明レンズ移動機構は、上記した課題を解決するために、レンズ鏡筒の内部に配置されたズーム用又はフォーカス用の可動レンズと、レンズ鏡筒の内部において上記可動レンズを保持すると共に該可動レンズの光軸方向に移動自在に支持されたレンズ保持枠と、レンズ保持枠の移動時に該レンズ保持枠を可動レンズの光軸方向へ案内するガイド軸と、レンズ保持枠を可動レンズの光軸方向へ移動させる駆動手段と、レンズ保持枠をガイド軸に押し付ける方向への付勢力を付与する付勢手段とを設け、レンズ保持枠の上記光軸方向における移動に伴って付勢手段によるレンズ保持枠に対する付勢力が変化するようにしたものである。
【００１３】
本発明撮像装置は、上記した課題を解決するために、内部にズーム用又はフォーカス用の可動レンズが配置されたレンズ鏡筒と、該レンズ鏡筒の内部において上記可動レンズを保持すると共に該可動レンズの光軸方向に移動自在に支持されたレンズ保持枠と、レンズ保持枠の移動時に該レンズ保持枠を可動レンズの光軸方向へ案内するガイド軸と、レンズ保持枠を可動レンズの光軸方向へ移動させる駆動手段と、レンズ保持枠をガイド軸に押し付ける方向への付勢力を付与する付勢手段とを設け、レンズ保持枠の上記光軸方向における移動に伴って付勢手段によるレンズ保持枠に対する付勢力が変化するようにしたものである。
【００１４】
本発明レンズ保持枠は、上記した課題を解決するために、付勢手段によってガイド軸に押し付ける方向への付勢力が付与され、光軸方向への移動に伴って付勢手段による付勢力が変化されてガイド軸に対する押付力が変化するようにしたものである。
【００１５】
従って、本発明レンズ移動機構、撮像装置及びレンズ保持枠にあっては、付勢手段によるレンズ保持枠に対する付勢力の変化に応じてレンズ保持枠のガイド軸に対する押付力が変化される。
【発明の効果】
【００１６】
本発明レンズ移動機構は、レンズ鏡筒の内部に配置されたズーム用又はフォーカス用の可動レンズと、レンズ鏡筒の内部において上記可動レンズを保持すると共に該可動レンズの光軸方向に移動自在に支持されたレンズ保持枠と、レンズ保持枠の移動時に該レンズ保持枠を可動レンズの光軸方向へ案内するガイド軸と、レンズ保持枠を可動レンズの光軸方向へ移動させる駆動手段と、レンズ保持枠をガイド軸に押し付ける方向への付勢力を付与する付勢手段とを備え、レンズ保持枠の上記光軸方向における移動に伴って付勢手段によるレンズ保持枠に対する付勢力が変化するようにしたことを特徴とする。
【００１７】
従って、レンズ保持枠のガイド軸に対する押付力が小さい場合に駆動手段に対する印加電圧を低く抑えることができ、撮影画像の品質の向上を図りつつ消費電力の低減を図ることができる。
【００１８】
請求項２に記載した発明にあっては、上記レンズ鏡筒に光軸方向において外形状が変化する変位部を形成し、上記レンズ保持枠に可動レンズを保持する保持部と該保持部の外周部に設けられ保持部に対して動作される可動部とを設け、該可動部を上記付勢手段によって変位部の内面に押し付け、変位部の内面に押し付けられた可動部に生じる反力によりレンズ保持枠をガイド軸に押し付け、可動部が上記変位部の内面の形状に倣うことにより付勢手段によるレンズ保持枠に対する付勢力が変化するようにしたので、簡単な構成により確実にレンズ保持枠のガイド軸に対する押付力を変化させることができる。
【００１９】
請求項３に記載した発明にあっては、上記レンズ鏡筒に光軸方向において外形状が変化する変位部を形成し、上記レンズ保持枠に可動レンズを保持する保持部と該保持部の外周部に設けられ保持部に対して動作される可動部とを設け、上記レンズ保持枠の可動部及び上記弾性手段として、弾性変形して上記変位部の内面に押し付けられる弾性部材を用い、レンズ保持枠の上記光軸方向における移動時に、可動部が上記変位部の内面に摺接し該内面の形状に弾性変形して倣うことによりレンズ保持枠に対する付勢力が変化するようにしたので、部品点数の削減を図りつつ、撮影画像の品質の向上及び消費電力の低減を図ることができる。
【００２０】
請求項４に記載した発明にあっては、上記付勢手段を、レンズ鏡筒の内面に取り付けた第１のマグネットと、レンズ保持枠に取り付け第１のマグネットとの間に吸引力又は反発力を発生する第２のマグネットとにより構成し、上記光軸方向において第１のマグネットと第２のマグネットとの間の間隔を変化させてレンズ保持枠に対する付勢力を変化させるようにしたので、簡単な構成で確実にレンズ保持枠のガイド軸に対する押付力を変化させることができる。
【００２１】
請求項５に記載した発明にあっては、上記付勢手段を、レンズ鏡筒の内面に取り付けた第１のマグネットと、レンズ保持枠に取り付け第１のマグネットとの間に吸引力又は反発力を発生する第２のマグネットとにより構成し、上記光軸方向において第１のマグネットの磁力を変化させ第２のマグネットとの間に発生する吸引力又は反発力を変化させてレンズ保持枠に対する付勢力を変化させるようにしたので、簡単な構成で確実にレンズ保持枠のガイド軸に対する押付力を変化させることができる。
【００２２】
請求項６に記載した発明にあっては、上記可動レンズがズーム用である場合において、上記付勢手段によるレンズ保持枠に対する付勢力が被写体から遠ざかるに従って大きくなるようにしたので、像揺れ現象を効率的に防止することが可能となり、撮影画像の品質の向上を効率的に図ることができる。
【００２３】
請求項７に記載した発明にあっては、上記可動レンズがフォーカス用である場合において、上記付勢手段によるレンズ保持枠に対する付勢力が被写体に近付くに従って大きくなるようにしたので、像揺れ現象を効率的に防止することが可能となり、撮影画像の品質の向上を効率的に図ることができる。
【００２４】
請求項８及び請求項９に記載した発明にあっては、上記レンズ保持枠のガイド軸に対する位置に応じて駆動手段に対する駆動電圧を変化させるようにしたので、レンズ保持枠の移動時における電圧制御の効率化を図ることができる。
【００２５】
請求項１０及び請求項１１に記載した発明にあっては、上記レンズ保持枠のガイド軸に対する押付力の大きさに応じて上記駆動電圧を大きくするようにしたので、レンズ保持枠のガイド軸に対する押付力の大きさに応じて印加電圧を大きくすることにより、消費電力の低減を図ることができる。
【００２６】
本発明撮像装置は、内部にズーム用又はフォーカス用の可動レンズが配置されたレンズ鏡筒と、該レンズ鏡筒の内部において上記可動レンズを保持すると共に該可動レンズの光軸方向に移動自在に支持されたレンズ保持枠と、レンズ保持枠の移動時に該レンズ保持枠を可動レンズの光軸方向へ案内するガイド軸と、レンズ保持枠を可動レンズの光軸方向へ移動させる駆動手段と、レンズ保持枠をガイド軸に押し付ける方向への付勢力を付与する付勢手段とを備え、レンズ保持枠の上記光軸方向における移動に伴って付勢手段によるレンズ保持枠に対する付勢力が変化するようにしたことを特徴とする。
【００２７】
従って、レンズ保持枠のガイド軸に対する押付力が小さい場合に駆動手段に対する印加電圧を低く抑えることができ、撮影画像の品質の向上を図りつつ消費電力の低減を図ることができる。
【００２８】
本発明レンズ保持枠は、レンズ鏡筒の内部に配置されズーム用又はフォーカス用の可動レンズを保持すると共に可動レンズの光軸方向に移動自在に支持され駆動手段の駆動力によりガイド軸に案内されて光軸方向へ移動するレンズ保持枠であって、付勢手段によってガイド軸に押し付ける方向への付勢力が付与され、上記光軸方向への移動に伴って付勢手段による付勢力が変化されてガイド軸に対する押付力が変化するようにしたことを特徴とする。
【００２９】
従って、レンズ保持枠のガイド軸に対する押付力が小さい場合に駆動手段に対する印加電圧を低く抑えることができ、撮影画像の品質の向上を図りつつ消費電力の低減を図ることができる。
【発明を実施するための最良の形態】
【００３０】
以下に、本発明レンズ移動機構、撮像装置及びレンズ保持枠を実施するための最良の形態を添付図面に従って説明する。以下に示す最良の形態は、本発明撮像装置をスチルカメラに適用し、本発明レンズ移動機構をこのスチルカメラに用いられたレンズ移動機構に適用し、本発明レンズ保持枠をこのスチルカメラに用いられたレンズ保持枠に適用したものである。尚、本発明の適用範囲はスチルカメラ、スチルカメラに用いられたレンズ移動機構又はスチルカメラに用いられたレンズ保持枠に限られることはなく、本発明は、ビデオカメラの他、動画撮影又は静止画撮影の機能を有する各種の撮像装置又はこれらの撮像装置に用いられた各種のレンズ移動機構及びレンズ保持枠に適用することができる。
【００３１】
撮像装置１（デジタルスチルカメラ）は、図１に示すように、撮像機能を有するカメラブロック２と、撮影された画像信号のアナログ−デジタル変換等の信号処理を行うカメラ信号処理部３と、画像信号の記録再生処理を行う画像処理部４と、撮影された画像等を表示する表示部５と、記録媒体１００に対する記録／再生を行う記録再生部６と、撮像装置１の全体を制御する中央演算処理装置７と、ユーザーによる操作入力を行うための入力操作部８と、カメラブロック２の各種のレンズの駆動を制御するレンズ駆動制御部９とを備えている。
【００３２】
カメラブロック２は、レンズ鏡筒１０、該レンズ鏡筒１０内に配置された各レンズ等の撮像光学系及びＣＣＤ（Charge Coupled Device）等の撮像素子１１等により構成される。
【００３３】
カメラ信号処理部３は、撮像素子１１からの出力信号（アナログ信号）のデジタル信号への変換、ノイズ除去、画質補正、輝度信号や色差信号への変換等の信号処理を行う。
【００３４】
画像処理部４は、所定の画像データーフォーマットに基づく画像信号の圧縮符号化、伸長復号化処理、解像度等のデーター仕様の変換処理等を行う。
【００３５】
記録媒体１００は、例えば、着脱可能な半導体メモリーである。
【００３６】
表示部５は、例えば、液晶ディスプレイである。
【００３７】
記録再生部６は、画像処理部４によって符号化された画像データーの記録媒体１００への書込や記録媒体１００に記録された画像データーの読出を行う。
【００３８】
中央演算処理装置７は、撮像装置１に設けられた各回路ブロックを制御する制御処理部であり、入力操作部８からの指示入力信号等に基づいて各回路ブロックを制御する。
【００３９】
入力操作部８は、例えば、シャッター操作を行うためのシャッターレリーズボタンや、動作モードを選択するための選択スイッチ等により構成され、ユーザーによる操作に応じた指示入力信号を中央演算処理装置７に対して出力する。
【００４０】
レンズ駆動制御部９は、中央演算処理装置７からの制御信号に基づいて、レンズ鏡筒１０の内部に配置された各レンズ、例えば、ズーム用の後述する変倍レンズやフォーカス用の後述するフォーカスレンズを駆動する図示しないモーター等を制御する。
【００４１】
以下に、撮像装置１の動作を簡単に説明する。
【００４２】
撮影の待機状態においては、中央演算処理装置７による制御の下で、カメラブロック２において撮影された画像信号が、カメラ信号処理部３を介して表示部５に出力され、カメラスルー画像として表示される。
【００４３】
入力操作部８からのズーミングのための指示入力信号が入力されると、中央演算処理装置７がレンズ駆動制御部９に制御信号を出力し、レンズ駆動制御部９の制御に基づいて、レンズ鏡筒１０に配置された後述する変倍レンズが移動される。
【００４４】
フォーカシングは、例えば、シャッターレリーズボタンが半押しされた場合、又は、記録のために全押しされた場合等に、中央演算処理装置７からの制御信号に基づいてレンズ駆動制御部９がレンズ鏡筒１０内の後述するフォーカスレンズを移動させることにより行われる。
【００４５】
入力操作部８からの指示入力信号によりカメラブロック２の図示しないシャッターが動作されると、画像信号がカメラ信号処理部３から画像処理部４に出力されて圧縮符号化処理され、所定のデーターフォーマットのデジタルデーターに変換される。変換されたデーターは記録再生部６に出力され、記録媒体１００に書き込まれる。
【００４６】
記録媒体１００に記録された画像データーを再生する場合は、入力操作部８による操作に応じて、記録再生部６により記録媒体１００から所定の画像データーが読み出され、画像処理部４で伸張復号化処理された後、再生画像信号が表示部５に出力される。これにより再生画像が表示される。
【００４７】
次に、カメラブロック２の構成例について説明する。
【００４８】
カメラブロック２のレンズ鏡筒１０の内部には、撮像光学系を構成する各種のレンズ又はレンズ群（以下には、単に「レンズ」とする。）が配置されている（図２参照）。
【００４９】
レンズ鏡筒１０は被写体側（前方側）に位置する第１のレンズ配置部１２とその後側に位置するアイリス配置部１３とその後側に位置する第２のレンズ配置部１４とを有している。第１のレンズ配置部１２の一部、例えば、上端側の部分は、変位部１２ａとその後端に連続する水平部１２ｂとから成る。変位部１２ａはレンズ鏡筒１０内に入射される光Ｐの外周の光線角度に沿って後方へ行くに従って内側へ変位するように傾斜されている。水平部１２ｂは光Ｐの光軸ＯＬ方向に延びるように形成されている。
【００５０】
レンズ鏡筒１０には、上記変位部１２ａと水平部１２ｂとによって凹部１５が形成されている。
【００５１】
レンズ鏡筒１０の内部には、例えば、４群構成のレンズが配置されており、被写体側から順に、対物レンズ１６、変倍レンズ１７、レンズ１８、フォーカスレンズ１９とされている。変倍レンズ１７はズーム用の可動レンズとして機能し、フォーカスレンズ１９はフォーカス用の可動レンズとして機能する。
【００５２】
対物レンズ１６及びレンズ１８はレンズ鏡筒１０に固定されている。変倍レンズ１７はレンズ保持枠２０に保持され、フォーカスレンズ１９は図示しないレンズ保持枠に保持されている。
【００５３】
変倍レンズ１７を保持するレンズ保持枠２０は第１のレンズ配置部１２において光軸方向へ移動可能とされ、フォーカスレンズ１９を保持するレンズ保持枠は第２のレンズ配置部１４において光軸方向へ移動可能とされている。変倍レンズ１７を保持するレンズ保持枠２０が前方側へ移動されると広角となり、レンズ保持枠２０が後方へ移動されると望遠となる。
【００５４】
レンズ保持枠２０は、変倍レンズ１７を保持する保持部２１と、該保持部２１に対して動作される可動部２２と、保持部２１に一体に設けられたスリーブ部２３とを有し、保持部２１の外周部には係合凹部２１ａが形成されている（図３参照）。
【００５５】
可動部２２はヒンジ軸２４によって保持部２１に回動自在に支持され、保持部２１に対して前方へ折り曲げられる折曲位置と保持部２１に対して折り曲げられない初期位置との間で回動可能とされている。
【００５６】
ヒンジ軸２４には付勢手段として、例えば、捩じりコイルバネ２５が支持されている。可動部２２は捩じりコイルバネ２５によってヒンジ軸２４の軸回り方向における一方の方向（図２に示すＲ１方向）へ付勢され、可動部２２の先端部は、常時、第１のレンズ配置部１２の内面１２ｃに弾接されている。
【００５７】
保持部２１の係合凹部２１ａ及びスリーブ部２３は、それぞれレンズ鏡筒１０内において平行な状態で配置されたガイド軸２６、２６に摺動自在に係合されている。
【００５８】
レンズ保持枠２０にはナット部材２７が取り付けられている。
【００５９】
レンズ鏡筒１０の内部にはブラケット２８が固定されている。ブラケット２８は前後に長い被固定部２８ａと該被固定部２８ａの前後両端部からそれぞれ上方へ突出された支持面部２８ｂ、２８ｃとから成り、被固定部２８ａがレンズ鏡筒１０に固定されている。
【００６０】
支持面部２８ｂ、２８ｃ間にはリードスクリュー２９が回転自在に支持され、該リードスクリュー２９は支持面部２８ｃの後方に配置されたステッピングモーター３０によって軸回り方向へ回転される。リードスクリュー２９にはレンズ保持枠２０に取り付けられたナット部材２７が螺合されている。リードスクリュー２９及びステッピングモーター３０はレンズ保持枠２０を光軸方向へ移動させる駆動手段として機能し、ステッピングモーター３０の回転に伴ってリードスクリュー２９が回転されると、ナット部材２７がステッピングモーター３０の回転方向に応じた方向へ送られ、レンズ保持枠２０がガイド軸２６、２６に案内されて前後へ移動され変倍レンズ１７が光軸方向へ移動される。
【００６１】
レンズ鏡筒１０のアイリス配置部１３には図示しない一対のアイリス羽根を有するアイリス機構３１が配置され、該アイリス機構３１が駆動モーター３２によって動作される。
【００６２】
フォーカスレンズ１９は変倍レンズ１７と同様に光軸方向へ移動されるが、フォーカスレンズ１９を移動させるための機構は変倍レンズ１７を移動させる機構と同様の機構であるため、説明は省略する。
【００６３】
以上のように構成された撮像装置１において、撮像時には、フォーカシング制御によりフォーカスレンズ１９が光軸方向へ移動されると共にズーム制御が行われるときにはステッピングモーター３０が回転されて変倍レンズ１７が光軸方向へ移動される。このとき被写体側から対物レンズ１６を介してレンズ鏡筒１０の内部に光Ｐが入射されるが、可動部２２が保持部２１に対して回動しながら第１のレンズ配置部１２の内面１２ｃに対して摺動され、レンズ保持枠２０はガイド軸２６、２６に押し付けられた状態で前後方向へ移動される。
【００６４】
変倍レンズ１７の光軸方向への移動時には、上記のように、可動部２２が第１のレンズ配置部１２の内面１２ｃに対して摺動されるが、レンズ保持枠２０が変位部１２ａを後方へ行くに従って捩じりコイルバネ２５による付勢力が大きくなる。従って、変位部１２ａを後方へ行くに従ってレンズ保持枠２０のガイド軸２６、２６に対する押付力が大きくなる。
【００６５】
このとき、駆動手段として機能するステッピングモーター３０に対する印加電圧は、レンズ保持枠２０の円滑な動作を確保するために、レンズ保持枠２０の光軸方向における位置に応じて変化させるようにしている。即ち、可動部２２が変位部１２ａに摺接している場合にはレンズ保持枠２０がレンズ１８に近付くに従って印加電圧が高くなるようにされ、可動部２２が水平部１２ｂに摺接している場合には可動部２２が変位部１２ａに摺接している場合の最大の印加電圧と同様の高さの印加電圧となるようにされている。
【００６６】
レンズ保持枠２０が望遠位置にある場合には集光された光Ｐの全体が変倍レンズ１７に入射されるが、レンズ保持枠２０が望遠位置よりも広角位置側にある場合には光Ｐの一部のみが変倍レンズ１７に入射される。従って、レンズ保持枠２０に入射されない光は変倍レンズ１７の外側に入射される不要光となるが、この不要光はレンズ保持枠２０の保持部２１の外周部及び可動部２２によって遮られ、レンズ１８側への入射が防止される。
【００６７】
以上に記載した通り、撮像装置１にあっては、レンズ保持枠２０に保持部２１に対して動作される可動部２２を設け、光軸方向における移動に伴って不要光を遮る可動部２２が保持部２１に対して動作され光軸方向から見たレンズ保持枠２０の外形状が変化するようにされているため、レンズ保持枠２０の光軸方向における位置に応じてレンズ保持枠２０の大きさを変化させることができ、不要光のレンズ１８側への入射防止による撮影画像の品質を図ることができると共に撮像装置１の小型化を図ることができる。
【００６８】
特に、レンズ鏡筒１０の第１のレンズ配置部１２の周囲の位置には、設計上、ストロボ、マイク、オートフォーカス補助光発光装置等の各部品が配置されることが多いが、小型化により凹部１５が形成されるため、該凹部１５にこれらの各部品を配置することが可能となり、各部品の配置の自由度が大きくなる。
【００６９】
また、付勢手段として機能する捩じりコイルバネ２５によって可動部２２を変位部１２ａに押し付け該変位部１２ａの形状に倣うことにより可動部２２の光軸方向から見た外形状が変化されるようにしているため、簡単な構成により確実に可動部２２を動作させることができる。
【００７０】
さらに、捩じりコイルバネ２５によってレンズ鏡筒１０の内面１２ｃに押し付けられた可動部２２に生じる反力により、レンズ保持枠２０の光軸方向における移動時に該レンズ保持枠２０がガイド軸２６、２６に押し付けられるため、レンズ保持枠２０のガイド軸２６、２６に対する光軸方向に直交する面内における移動が防止され、結像面上の像が微少に揺れる所謂像揺れ減少の発生が抑制され、撮影画像の品質の向上を図ることができる。
【００７１】
さらにまた、撮像装置１にあっては、レンズ保持枠２０のガイド軸２６、２６に対する押付力が可動レンズ２２の位置に応じて変化するため、押付力の小さい場合に駆動手段として機能するステッピングモーター３０に対する印加電圧を低く抑えることができ、撮影画像の品質の向上を図りつつ消費電力の低減を図ることができる。
【００７２】
加えて、可動部２２がレンズ鏡筒１０の変位部１２ｂの内面の形状に倣うことにより捩じりコイルバネ２５によるレンズ保持枠２０に対する付勢力が変化するため、簡単な構成により確実にレンズ保持枠２０のガイド軸２６、２６に対する押付力を変化させることができる。
【００７３】
一般に、上記した像揺れ現象は、変倍レンズ１７の位置が望遠側に近付くほど発生量が大きくなることが知られている。従って、撮像装置１のように、変倍レンズ１７が望遠側に近付くほど捩じりコイルバネ２５による付勢力が大きくなるような構成とすることにより、像揺れ現象を効率的に防止することが可能となり、撮影画像の品質の向上を効率的に図ることができる。
【００７４】
また、レンズ保持枠を付勢してガイド軸に押し付ける上記した構成は、変倍レンズ１７を保持するレンズ保持枠２０のみならずフォーカスレンズ１９を保持するレンズ保持枠にも適用することが可能である。このフォーカスの場合には、一般に、上記した像揺れ現象はフォーカスレンズ１９の位置が被写体に近付くほど発生量が大きくなることが知られている。従って、フォーカスレンズ１９を保持するレンズ保持枠に対して付勢力を付与する構成を適用した場合には、被写体に近付くほど付勢力が大きくなるような構成とすることにより、像揺れ現象を効率的に防止することが可能となり、撮影画像の品質の向上を効率的に図ることができる。
【００７５】
撮像装置１にあっては、レンズ保持枠２０のガイド軸２６、２６に対する位置に応じてステッピングモーター３０に対する印加電圧を変化させるようにしているため、レンズ保持枠２０の移動時における電圧制御の効率化を図ることができる。
【００７６】
レンズ保持枠２０のガイド軸２６、２６に対する押付力の大きさに応じて印加電圧を大きくすることにより、消費電力の低減を図ることができる。
【００７７】
以下に、可動部の変形例について説明する（図４及び図５参照）。
【００７８】
第１の変形例に係る可動部２２Ａは、付勢手段として機能する圧縮コイルバネ３３によって保持部２１と連結され、該保持部２１に対して上下方向へ移動可能とされている（図４参照）。可動部２２Ａは圧縮コイルバネ３３の付勢力によってレンズ鏡筒１０の内面１２ｃに常時弾接され、レンズ保持枠２０の光軸方向への移動時に内面１２ｃと摺動される。
【００７９】
第２の変形例に係る可動部２２Ｂは、例えば、板状の弾性部材であり、保持部２１に一端部が取り付けられている（図５参照）。可動部２２Ｂは、その弾性によってレンズ鏡筒１０の内面１２ｃに常時弾接され、レンズ保持枠２０の光軸方向への移動時に内面１２ｃと摺動される。
【００８０】
このように可動部２２Ｂとして弾性部材を用いることにより、部品点数の削減を図りつつ、撮像装置１の小型化及び撮影画像の品質の向上を図ることができる。
【００８１】
また、弾性部材である可動部２２Ｂが弾性変形して変位部１２ｂの形状に倣うことによりレンズ保持枠２０に対する付勢力が変化するため、部品点数の削減を図りつつ、撮影画像の品質の向上及び消費電力の低減を図ることができる。
【００８２】
次に、付勢手段の変形例について説明する（図６及び図７参照）。
【００８３】
第１の変形例に係る付勢手段は、レンズ鏡筒１０Ａの内面１０ａに取り付けられた第１のマグネット３４とレンズ保持枠２０の上端部に取り付けられた第２のマグネット３５とによって構成され、第１のマグネット３４とこれに対向して位置される第２のマグネット３５との間に吸引力又は反発力が生じる。
【００８４】
尚、レンズ鏡筒１０Ａは上記レンズ鏡筒１０とは異なり、第１のレンズ配置部１２に変位部１２ａは設けられておらず、該第１のレンズ配置部１２は光軸方向に延びる円筒状に形成されている。
【００８５】
第１のマグネット３４は前後方向に長く形成され、下方への突出量が後方へ行くに従って漸次大きくされている。従って、第１のマグネット３４と第２のマグネット３５との間に発生する吸引力又は反発力は、後方へ行くに従って大きくなるように設定されている。
【００８６】
第１のマグネット３４と第２のマグネット３５との間に発生する吸引力又は反発力によりレンズ保持枠２０が付勢され、該レンズ保持枠２０がガイド軸２６、２６に押し付けられた状態で光軸方向へ移動される。このとき、上記のように、第１のマグネット３４と第２のマグネット３５との間に発生する吸引力又は反発力が後方へ行くに従って大きくなるように設定されているため、レンズ保持枠２０が望遠側へ近付くに従ってガイド軸２６、２６に対する押付力が大きくされる。
【００８７】
このように、第１のマグネット３４と第２のマグネット３５との間の間隔を変化させてレンズ保持枠２０に対する付勢力を変化させるようにすることにより、簡単な構成で確実にレンズ保持枠２０のガイド軸２６、２６に対する押付力を変化させることができる。
【００８８】
第２の変形例に係る付勢手段は、レンズ鏡筒１０Ａの内面１０ａに取り付けられた第１のマグネット３６とレンズ保持枠２０の上端部に取り付けられた第２のマグネット３５とによって構成され、第１のマグネット３６とこれに対向して位置される第２のマグネット３５との間に吸引力又は反発力が生じる。
【００８９】
尚、レンズ鏡筒１０Ａは上記レンズ鏡筒１０とは異なり、第１のレンズ配置部１２に変位部１２ａは設けられておらず、該第１のレンズ配置部１２は光軸方向に延びる円筒状に形成されている。
【００９０】
第１のマグネット３６は前後方向に長く形成され、第１のマグネット３４とは異なり、下方への突出量が同じにされており、後方へ行くに従って漸次磁力が強くなるようにされている。従って、第１のマグネット３６と第２のマグネット３５との間に発生する吸引力又は反発力は、後方へ行くに従って大きくなるように設定されている。
【００９１】
第１のマグネット３６と第２のマグネット３５との間に発生する吸引力又は反発力によりレンズ保持枠２０が付勢され、該レンズ保持枠２０がガイド軸２６、２６に押し付けられた状態で光軸方向へ移動される。このとき、上記のように、第１のマグネット３４と第２のマグネット３５との間に発生する吸引力又は反発力が後方へ行くに従って大きくなるように設定されているため、レンズ保持枠２０が望遠側へ近付くに従ってガイド軸２６、２６に対する押付力が大きくされる。
【００９２】
このように、第１のマグネット３６の長手方向において磁力を変化させてレンズ保持枠２０に対する付勢力を変化させるようにすることにより、簡単な構成で確実にレンズ保持枠２０のガイド軸２６、２６に対する押付力を変化させることができる。
【００９３】
尚、上記に示した上下前後の方向は説明の便宜上のものであり、これらの方向に限定されることはない。
【００９４】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９５】
【図１】図２乃至図５と共に本発明の最良の形態を示すものであり、本図は、撮像装置の基本構成を示す概念図である。
【図２】カメラブロックの拡大断面図である。
【図３】要部の拡大斜視図である。
【図４】第１の変形例に係る可動部が設けられたカメラブロックの拡大断面図である。
【図５】第２の変形例に係る可動部が設けられたカメラブロックの拡大断面図である。
【図６】第１の変形例に係る付勢手段が設けられたカメラブロックの拡大断面図である。
【図７】第２の変形例に係る付勢手段が設けられたカメラブロックの拡大断面図である。
【符号の説明】
【００９６】
１…撮像装置、１０…レンズ鏡筒、１２ａ…変位部、１２ｃ…内面、１７…変倍レンズ（可動レンズ）、１９…フォーカスレンズ（可動レンズ）、２０…レンズ保持枠、２１…保持部、２２…可動部、２５…捩じりコイルバネ（付勢手段）、２６…ガイド軸、２９…リードスクリュー（駆動手段）、３０…ステッピングモーター（駆動手段）、２２Ａ…可動部、３３…圧縮コイルバネ、２２Ｂ…可動部、１０Ａ…レンズ鏡筒、１０ａ…内面、３４…第１のマグネット（付勢手段）、３５…第２のマグネット（付勢手段）、３６…第１のマグネット（付勢手段）
【図１】
2006145742.tif 000003
【図２】
2006145742.tif 000004
【図３】
2006145742.tif 000005
【図４】
2006145742.tif 000006
【図５】
2006145742.tif 000007
【図６】
2006145742.tif 000008
【図７】
2006145742.tif 000009